(57)【要約】      （修正有）【課題】歯ブラシの毛が歯の形によって異なる方向に傾いたりスイングしたりして、歯のブラッシング効果を向上させる歯ブラシのヘッドを提供する。【解決手段】歯ブラシのヘッドは、本体１０及びヘッド部材２０を有し、そのうち、本体１０は、硬質材質からなり、複数の筒体１１を備え、それらの筒体１１がそれぞれ間隔をおいて設けられ、各筒体１１の一端に植毛穴が凹設され、隣り合う２つの筒体１１の間に連結プレートが設けられ、ヘッド部材２０は、軟質材質からなり、本体１０の各筒体１１及び連結プレートをカバーするように組み合わされるものである。【選択図】図１
0003199618.tif 000002
【実用新案登録請求の範囲】
【請求項１】
本体及びヘッド部材を有し、
そのうち、本体は、硬質材質からなり、複数の筒体を備え、それらの筒体がそれぞれ間隔をおいて設けられ、該各筒体の一端に植毛穴が凹設され、隣り合う２つの筒体の間に連結プレートが設けられ、
前記ヘッド部材は、軟質材質からなり、前記本体の各筒体及び連結プレートをカバーするように組み合わされることを特徴とする歯ブラシのヘッド。
【請求項２】
前記本体の一端に結合部が設けられ、該結合部に複数の筒体が一体に形成され、それらの筒体が結合部により連結されることを特徴とする請求項１に記載の歯ブラシのヘッド。
【請求項３】
前記各筒体における、植毛穴を有する一端にリング部材が設けられることを特徴とする請求項２に記載の歯ブラシのヘッド。
【請求項４】
前記本体の結合部にネック部が延設され、そのネック部に、前記ヘッド部材が本体の結合部及びネック部の一部をカバーするように取り付けられることを特徴とする請求項１乃至３の何れか１項に記載の歯ブラシのヘッド。
【請求項５】
本体及びヘッド部材を有し、
そのうち、本体は、硬質材質からなり、複数の筒体を備え、それらの筒体がそれぞれ間隔をおいて設けられ、該各筒体の一端に植毛穴が凹設され、
前記ヘッド部材は、軟質材質からなり、前記本体の各筒体をカバーするように組み合わされることを特徴とする歯ブラシのヘッド。
【請求項６】
前記本体の一端に結合部が設けられ、該結合部に複数の筒体が一体に形成され、それらの筒体が結合部により連結されることを特徴とする請求項５に記載の歯ブラシのヘッド。
【請求項７】
前記各筒体における、植毛穴を有する一端にリング部材が設けられることを特徴とする請求項６に記載の歯ブラシのヘッド。
【請求項８】
前記本体の結合部にネック部が延設され、そのネック部に、前記ヘッド部材が本体の結合部及びネック部の一部をカバーするように取り付けられることを特徴とする請求項５乃至７の何れか１項に記載の歯ブラシのヘッド。
【考案の詳細な説明】
【技術分野】
【０００１】
本考案は、特に歯ブラシの毛が歯の形によって異なる方向に傾いたりスイングしたりして、歯のブラッシング効果を向上させる歯ブラシのヘッドに関するものである。
【背景技術】
【０００２】
既存の歯ブラシは、ヘッドと把柄部を有し、該ヘッドと把柄部との間に細長状のネックが設けられ、使用者がヘッドを口に入れて把柄部を持ちながら歯を磨く。また、既存の歯ブラシのヘッドは、硬質材質からなるブロック体であり、該ヘッドの一側に複数の毛が間隔をおいて植えられ、歯ブラシを使用する時は、ヘッド部を口の中に入れて毛によるブラッシングにより、歯の表面や歯間の汚れを除去する。
【先行技術文献】
【特許文献】
【０００３】
【特許文献１】特開平８−１５４７４０号公報
【考案の概要】
【考案が解決しようとする課題】
【０００４】
しかしながら、既存の歯ブラシは、毛がヘッドの側面と垂直ぎみに固定されることから、毛がヘッドに対して自由に傾いたりスイングしたりすることが出来ず、所定の角度でしか活動できないので、歯の表面または歯間を的確に磨くことができなく、また、口腔の奥や狭いところもブラッシングすることができないので、口腔の衛生状態を維持することができない。
【課題を解決するための手段】
【０００５】
本考案に係る歯ブラシのヘッドは、本体及びヘッド部材を有し、
そのうち、本体は、硬質材質からなり、複数の筒体を備え、それらの筒体がそれぞれ間隔をおいて設けられ、該各筒体の一端に植毛穴が凹設され、隣り合う２つの筒体の間に連結プレートが設けられ、
前記ヘッド部材は、軟質材質からなり、前記本体の各筒体及び連結プレートをカバーするように組み合わされるものである。
【０００６】
かかる歯ブラシのヘッドにおいて、前記本体の一端に結合部が設けられ、該結合部に複数の筒体が一体に形成され、それらの筒体が結合部により連結されることが好ましい。
【０００７】
かかる歯ブラシのヘッドにおいて、前記各筒体における、植毛穴を有する一端にリング部材が設けられることが好ましい。
【０００８】
かかる歯ブラシのヘッドにおいて、前記本体の結合部にネック部が延設され、そのネック部に、前記ヘッド部材が本体の結合部及びネック部の一部をカバーするように取り付けられることが好ましい。
【０００９】
一方、本考案に係る歯ブラシのヘッドは、本体及びヘッド部材を有し、
そのうち、本体は、硬質材質からなり、複数の筒体を備え、それらの筒体がそれぞれ間隔をおいて設けられ、該各筒体の一端に植毛穴が凹設され、
前記ヘッド部材は、軟質材質からなり、前記本体の各筒体をカバーするように組み合わされてもよい。
【考案の効果】
【００１０】
本考案に係る歯ブラシは、ヘッドの毛が植えられた筒体がそれぞれ薄型の連結プレートによって連結されると共に、軟質のヘッド部材が筒体及び連結プレートをカバーするように組み合わされることから、それら筒体及び毛は、個別かつ自由に傾いたりスイングしたりすることができる。故に、使用者が歯ブラシを使用時は、ヘッドの毛及び筒体がそれぞれ、歯の形によって異なる方向に移動しながら歯を磨けるので、歯の表面または歯間にある歯垢または汚れを除去し、常に歯を清潔に保つことができる。
【００１１】
また、本考案に係る歯ブラシのヘッドは、複数の筒体１１Ａがそれぞれ軟質のヘッド部材２０によりカバーされることから、各筒体１１Ａ及び毛３０が自由かつ個別に傾いたりスイングしたりして、異なる方向に移動しながら歯を隅々までブラッシングすることができる。
【図面の簡単な説明】
【００１２】
【図１】本考案に係る歯ブラシのヘッドの斜視図である。
【図２】本考案に係る歯ブラシのヘッドにおける本体の拡大斜視図である。
【図３】本考案に係る歯ブラシのヘッドにおけるヘッド部材の拡大斜視図である。
【図４】本考案に係る歯ブラシのヘッドの平面図である。
【図５】図４のＡ-Ａ線の断面図である。
【図６】図４のＢ-Ｂ線の断面図である。
【図７】本考案に係る歯ブラシのヘッドの他の実施例における本体の斜視図である。
【図８】本考案に係る歯ブラシのヘッドの他の実施例の平面図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１及び図２に示すように、本考案に係る歯ブラシのヘッドは、本体１０と、ヘッド部材２０と、複数の毛３０とを有し、該本体１０の一端にネック部１００が一体に延設され、該ヘッド部材２０は、本体１０及びネック部１００の先端の一部をカバーするように取り付けられ、それらの毛３０は、本体１０に植えられる。
【００１５】
前記本体１０は、プラスチックなどの硬質材質からなり、既存の成型加工技術、例えば、プラスチック射出成形加工などの技術により製造され、該本体１０の一端にネック部１００が一体に延設される。また、前記本体１０は、複数の筒体１１を備え、それらの筒体１１は、縦方向の円筒状を呈し、それぞれ間隔をおいて配列され、該各筒体１１の上端にリング部材１２が凸設され、該各筒体１１の上端面の中心に植毛穴１３が凹設され、該植毛穴１３に毛３０が植えられる。更に、図４に示すように、隣り合う２つの筒体１１の間に連結プレート１４が設けられ、該連結プレート１４は、薄型のプレートである。それらの筒体１１が連結プレート１４によりそれぞれ繋がって歯ブラシを構成できる。
また、その連結プレート１４は、複数の筒体１１を連結し、それら筒体１１は自由に傾いたりスイングしたりすることができる。尚、本実施例の連結プレート１４は、樹脂を金型に入れて筒体１１を成型する同時に、その金型のゲートにある樹脂から構成するものである。
【００１６】
図２及び図４に示すように、射出成形加工を用いて本体１０の一端に結合部１５が設けられ、該結合部１５に複数の筒体１１が一体に形成され、それらの筒体１１は結合部１５により連結され、該本体１０の結合部１５とネック部１００とは、射出成形加工によって、互いに一体に連結される。
【００１７】
図１乃至図３に示すように、本体１０及びネック部１００の先端の一部を覆うように、射出成形の２次加工を用いて更に、シリコンなどの軟質材質からなるヘッド部材２０が形成され、該ヘッド部材２０は、本体１０の筒体１１及びリング部材１２をカバーすると共に、筒体１１の上面と同一平面を構成する。
更に、図５及び図６に示すように、そのヘッド部材２０は、筒体１１、リング部材１２、連結プレート１４をカバーするように設けられることから、ヘッド部材２０と本体１０との結合効果に優れている。
【００１８】
図１に示すように、それらの毛３０が植えられている筒体１１はそれぞれ、薄型の連結プレート１４によって連結されると共に、軟質のヘッド部材２０は、筒体１１及び連結プレート１４をカバーするようにその外部に設けられることから、筒体１１及び毛３０は、個別かつ自由に傾いたりスイングしたりすることができる。故に、使用者が歯ブラシを使用する時、ヘッドの毛３０及び筒体１１がそれぞれ、歯の形によって異なる方向に移動しながら歯を磨き、歯の表面または歯間にある歯垢や汚れを除去して歯を清潔な状態に保つことができる。
【００１９】
図７及び図８に示すように、本考案に係る歯ブラシのヘッドの他の実施例においては、その本体１０Ａの複数の筒体１１Ａがそれぞれ、間隔をおいて独立して配列され、すなわち、既存の射出成形技術を用いて複数の筒体１１Ａを個別に成形し、該各筒体１１Ａの上面中心に、毛３０を植えるための植毛穴１３Ａを形成する。
【００２０】
そして、それらの筒体１１Ａ及びネック部１００Ａを金型に設置してから、射出成形の２次加工を行ってヘッド部材２０が筒体１１Ａ及びネック部１００Ａの先端の一部をカバーするように形成すれば、本実施例の歯ブラシのヘッドが完成する。
尚、本実施例では、複数の筒体１１Ａがそれぞれ軟質のヘッド部材２０によりカバーされることから、各筒体１１Ａ及び毛３０が自由かつ個別に傾いたりスイングしたりして、異なる方向に移動しながら歯を洗淨することができる。
【符号の説明】
【００２１】
１０、１０Ａ 本体
１００ ネック部
１１、１１Ａ 筒体
１２ リング部材
１３、１３Ａ 植毛穴
１４ 連結プレート
１５ 結合部
２０ ヘッド部材
３０ 毛
【図１】
0003199618.tif 000003
【図２】
0003199618.tif 000004
【図３】
0003199618.tif 000005
【図４】
0003199618.tif 000006
【図５】
0003199618.tif 000007
【図６】
0003199618.tif 000008
【図７】
0003199618.tif 000009
【図８】
0003199618.tif 000010